(57)【要約】【課題】滑り止め部材のみを簡単に交換するとともに、脱落することのないように確実に固定し、工事の完了後すぐに階段用床材を使用することができる階段用床材を提供すること。【解決手段】踏み面被覆部１の段鼻３付近に段鼻３と平行に長溝４を形成し、長溝４に嵌合する帯板状の滑り止め部材５を形成するとともに、滑り止め部材５を長溝４に感圧性接着剤により貼着し、かつ滑り止め部材５の長溝４からの突出高さｔ１を滑り止め部材５の高さｔの２／３以下とする。【選択図】図１
2006241844.tif 000002
【特許請求の範囲】
【請求項１】
階段の踏み面に貼着される踏み面被覆部を備えた階段用床材において、踏み面被覆部の段鼻付近に該段鼻と平行に長溝を形成し、該長溝に嵌合する帯板状の滑り止め部材を形成するとともに、該滑り止め部材を長溝に感圧性接着剤により貼着し、かつ滑り止め部材の長溝からの突出高さを該滑り止め部材の高さの２／３以下となしたことを特徴とする階段用床材。
【請求項２】
滑り止め部材の側縁部を長溝の肩より低くしたことを特徴とする請求項１記載の階段用床材。
【請求項３】
滑り止め部材が、硬質材料からなる粒子を一体的に保持したプラスチック若しくはゴム製の部材又はプラスチック、磁器タイル若しくは金属製の部材からなることを特徴とする請求項１又は２記載の階段用床材。
【請求項４】
滑り止め部材が、硬質材料からなる粒子を含有した樹脂を帯板状の樹脂成形体に積層したものからなることを特徴とする請求項１又は２記載の階段用床材。
【請求項５】
硬質材料からなる粒子を含有した樹脂の両側に樹脂成形体の一部を露出させ、該樹脂成形体の露出部と硬質材料からなる粒子を含有した樹脂が積層された部分との色調が異なるようにしたことを特徴とする請求項４記載の階段用床材。
【請求項６】
樹脂成形体の硬質材料からなる粒子を含有した樹脂が積層された部分に文字を表示したことを特徴とする請求項５記載の階段用床材。
【請求項７】
樹脂成形体の露出部に蓄光顔料層を設けたことを特徴とする請求項５又は６記載の階段用床材。
【発明の詳細な説明】
【技術分野】
【０００１】
本発明は、階段用床材に関し、特に、滑り止め部材のみを簡単に交換するとともに、脱落することのないように確実に固定し、工事の完了後すぐに階段用床材を使用することができる階段用床材に関するものである。
【背景技術】
【０００２】
駅や公共施設など人の出入りの激しい階段では、階段の段鼻部近傍の滑り止め突起の摩耗が早く、比較的短期に防滑効果が低減してしまう。
修復の方法として以下のものが挙げられるがいずれも大きな欠点を有している。
まず、コンクリートなどの無機質ブロック中にゴム部材を埋め込んだ階段踏み板材を使用して再工事する方法では、工事が大規模であると共に、階段をしばらくの間使用できなくなってしまう。仮に無機質ブロック中のゴム部材のみを交換する手段があったとしても、初期工事として当該ブロックの施工工事が必要であり、どのような階段に対しても広く適用できるものではない。簡易工法による階段の改修工事への適用性は低い。
【０００３】
一方、既存の階段に化粧材を貼着する方法では、工事は簡易なものとなる点で優れている。シートの段鼻部材のみ交換する方法が提案されている（例えば、特許文献１参照）が、特に階段昇降時に応力が集中する部分であり、交換部分に強固な接合が要求される。
ここでの接合方法において、アンカーボルト方式を使用すれば、十分な接合強度が得られるが、コンクリートヘの穴あけ時に騒音や粉塵が発生し、使用経過後には緩みやガタつきが発生するという問題がある。
接着剤による接合では、接着面積が交換部分だけで小さいことから接着強度が不十分になる懸念があるとともに、養生のための時間が必要である。また、はめ込み等の簡易な交換では、段鼻部の脱落や破損も心配される。
【特許文献１】特開２００３−１８４２５３号公報
【発明の開示】
【発明が解決しようとする課題】
【０００４】
本発明は、上記従来の階段用床材が有する問題点に鑑み、滑り止め部材のみを簡単に交換するとともに、脱落することのないように確実に固定し、工事の完了後すぐに階段用床材を使用することができる階段用床材を提供することを目的とする。
【課題を解決するための手段】
【０００５】
上記目的を達成するため、本発明の階段用床材は、階段の踏み面に貼着される踏み面被覆部を備えた階段用床材において、踏み面被覆部の段鼻付近に該段鼻と平行に長溝を形成し、該長溝に嵌合する帯板状の滑り止め部材を形成するとともに、該滑り止め部材を長溝に感圧性接着剤により貼着し、かつ滑り止め部材の長溝からの突出高さを該滑り止め部材の高さの２／３以下となしたことを特徴とする。
【０００６】
この場合において、滑り止め部材の側縁部を長溝の肩より低くすることができる。
【０００７】
また、滑り止め部材を、硬質材料からなる粒子を一体的に保持したプラスチック若しくはゴム製の部材又はプラスチック、磁器タイル若しくは金属製の部材により構成することができる。
【０００８】
また、滑り止め部材を、硬質材料からなる粒子を含有した樹脂を帯板状の樹脂成形体に積層して構成することができる。
【０００９】
また、硬質材料からなる粒子を含有した樹脂の両側に樹脂成形体の一部を露出させ、該樹脂成形体の露出部と硬質材料からなる粒子を含有した樹脂が積層された部分との色調が異なるようにすることができる。
【００１０】
また、樹脂成形体の硬質材料からなる粒子を含有した樹脂が積層された部分に文字を表示することができる。
【００１１】
また、樹脂成形体の露出部に蓄光顔料層を設けることができる。
【発明の効果】
【００１２】
本発明の階段用床材によれば、階段の踏み面に貼着される踏み面被覆部を備えた階段用床材において、踏み面被覆部の段鼻付近に該段鼻と平行に長溝を形成し、該長溝に嵌合する帯板状の滑り止め部材を形成するとともに、該滑り止め部材を長溝に感圧性接着剤により貼着し、かつ滑り止め部材の長溝からの突出高さを該滑り止め部材の高さの２／３以下とすることから、滑り止め部材は、使用時の幅方向に加わる力に対しては剥がれにくく、長さ方向の力で容易に剥がすことができ、これにより、滑り止め部材のみを簡単に交換するとともに、脱落することのないように確実に固定し、工事の完了後すぐに階段用床材を使用することができる。
【００１３】
この場合、滑り止め部材の側縁部を長溝の肩より低くすることにより、歩行時の引っ掛かりをなくし、滑り止め部材をより確実に固定することができる。
【００１４】
また、滑り止め部材を、硬質材料からなる粒子を一体的に保持したプラスチック若しくはゴム製の部材又はプラスチック、磁器タイル若しくは金属製の部材により構成することにより、滑り止め効果を好適に発揮することができる。
【００１５】
また、滑り止め部材を、硬質材料からなる粒子を含有した樹脂を帯板状の樹脂成形体に積層して構成することにより、滑り止め効果を好適に発揮するとともに、長溝に対する滑り止め部材の取り付け性を向上させることができる。
【００１６】
また、硬質材料からなる粒子を含有した樹脂の両側に樹脂成形体の一部を露出させ、該樹脂成形体の露出部と硬質材料からなる粒子を含有した樹脂が積層された部分との色調が異なるようにすることにより、硬質材料からなる粒子の脱落や摩耗を色調の変化として現し、滑り止め部材の交換時期を認識することができる。
【００１７】
また、樹脂成形体の硬質材料からなる粒子を含有した樹脂が積層された部分に文字を表示することにより、硬質材料からなる粒子の脱落や摩耗を文字として現し、滑り止め部材の交換時期を認識することができる。
【００１８】
また、樹脂成形体の露出部に蓄光顔料層を設けることにより、滑り止めの効果と共に停電等で照明がなくなったときにも段鼻部が発光して階段をはっきり視認できるので安全に歩行でき、汚損等により見づらくなったときにも容易に交換することができる。
【発明を実施するための最良の形態】
【００１９】
以下、本発明の階段用床材の実施の形態を、図面に基づいて説明する。
【実施例１】
【００２０】
図１〜図３に、本発明の階段用床材の一実施例を示す。
この階段用床材は、階段の踏み面及び蹴上げに貼着される踏み面被覆部１及び蹴上げ被覆部２を連続して備えている。
そして、この階段用床材は、踏み面被覆部１の段鼻３付近に段鼻３と平行に長溝４を形成し、長溝４に嵌合する帯板状の滑り止め部材５を形成するとともに、滑り止め部材５を長溝４に感圧性接着剤（図示省略）により貼着し、かつ滑り止め部材５の長溝４からの突出高さｔ１を滑り止め部材５の高さｔの２／３以下、好ましくは、１／５〜２／３、さらに好ましくは、１／４〜１／２としている。
このように、滑り止め部材５の長溝４からの突出高さｔ１を滑り止め部材５の高さｔの２／３以下としているのは、滑り止め部材５の幅方向に加わる力に対して滑り止め部材５が剥がれにくくするためである。
【００２１】
踏み面被覆部１と蹴上げ被覆部２は、一体に形成された合成樹脂製のものからなり、それぞれの上面には滑り止め用の凹凸６が形成されている。
踏み面被覆部１は、階段の踏み面の全面を被覆する大きさを有し、長溝４の奥側に蓄光顔料テープ７を嵌合・貼着する細溝８が形成されるとともに、長溝４の手前側から蹴上げ被覆部２にかけてが視認性の高い黄色に着色されている。
踏み面被覆部１の長溝４は、例えば、溝深さが１０ｍｍ以下、好ましくは３ｍｍ以下で、溝幅は１０〜１００ｍｍ、好ましくは３０〜８０ｍｍとし、溝幅は溝深さの３倍以上で好ましくは５倍以上、さらに好ましくは８倍以上とする。
【００２２】
滑り止め部材５は、硬質材料からなる粒子を含有した樹脂９を帯板状の樹脂成形体１０に積層して構成されており、これにより、滑り止め効果を好適に発揮するとともに、長溝４に対する滑り止め部材５の取り付け性を向上させている。
硬質材料からなる粒子を含有した樹脂９の両側には、樹脂成形体１０の一部が露出しており、この樹脂成形体１０の露出部１１と、硬質材料からなる粒子を含有した樹脂９が積層された部分１２との色調が異なるようになされている。硬質材料からなる粒子が不透明な場合に、その下の樹脂成形体１０に赤などの着色をしておくと、初期は下地の赤は見えないが、硬質材料からなる粒子の脱落や摩耗によって下地が露出するので、滑り止め部材５の交換の目安となる。
この場合、硬質材料からなる粒子を含有した樹脂９が積層された部分１２に文字を表示することも可能であり、これにより、硬質材料からなる粒子の脱落や摩耗を文字として現れるようにし、滑り止め部材５の交換時期を認識することができる。
また、樹脂成形体１０の露出部１１は、長溝４の肩より低くされており、歩行時の引っ掛かりをなくして、滑り止め部材５をより確実に固定するようにしている。
さらに、樹脂成形体１０の露出部１１に蓄光顔料層（図示省略）を設けることにより、滑り止め部材５の交換とともに汚損や破損した蓄光顔料層を交換することもできる。
【００２３】
滑り止め部材５の樹脂成形体１０は、ＰＶＣなど合成樹脂からなり、その上に、滑り止め機能をもつ硬質材料からなる粒子を含有した樹脂９が積層され一体化されている。
硬質材料からなる粒子としては、炭化ケイ素（カーボランダム）、アルミナ、シリカ等の無機粒子や硬質の金属粒子を使用することができ、バインダー樹脂としてはエポキシ樹脂等を使用することができる。
滑り止め部材５は、硬質材料からなる粒子を一体的に保持したプラスチック若しくはゴム製の部材のほか、プラスチック、磁器タイル又は金属製の単体の部材から構成することができ、また、踏み面被覆部１の長溝４に、両面粘着テープやアクリル系接着剤などの感圧性接着剤によって貼着することができる。
【００２４】
かくして、本実施例の階段用床材は、階段の踏み面に貼着される踏み面被覆部１を備えた階段用床材において、踏み面被覆部１の段鼻３付近に該段鼻と平行に長溝４を形成し、該長溝４に嵌合する帯板状の滑り止め部材５を形成するとともに、該滑り止め部材５を長溝４に感圧性接着剤により貼着し、かつ滑り止め部材５の長溝４からの突出高さｔ１を該滑り止め部材５の高さｔの２／３以下とすることから、滑り止め部材５は、使用時の幅方向に加わる力に対しては剥がれにくく、長さ方向の力で容易に剥がすことができ、これにより、滑り止め部材５のみを簡単に交換するとともに、脱落することのないように確実に固定し、工事の完了後すぐに階段用床材を使用することができる。
【００２５】
この場合、滑り止め部材５の側縁部を長溝４の肩より低くすることにより、歩行時の引っ掛かりをなくし、滑り止め部材５をより確実に固定することができる。
また、滑り止め部材５を、硬質材料からなる粒子を一体的に保持したプラスチック若しくはゴム製の部材又はプラスチック、磁器タイル若しくは金属製の部材から構成することにより、滑り止め効果を好適に発揮することができる。
そして、滑り止め部材５を、硬質材料からなる粒子を含有した樹脂９を帯板状の樹脂成形体１０に積層して構成することにより、滑り止め効果を好適に発揮するとともに、長溝４に対する滑り止め部材５の取り付け性を向上させることができる。
また、硬質材料からなる粒子を含有した樹脂９の両側に樹脂成形体１０の一部を露出させ、該樹脂成形体１０の露出部１１と硬質材料からなる粒子を含有した樹脂９が積層された部分１２との色調が異なるようにすることにより、硬質材料からなる粒子の脱落や摩耗を色調の変化として現し、滑り止め部材５の交換時期を認識することができる。
さらに、樹脂成形体１０の硬質材料からなる粒子を含有した樹脂９が積層された部分１２に文字を表示することにより、硬質材料からなる粒子の脱落や摩耗を文字として現し、滑り止め部材５の交換時期を認識することができる。
また、樹脂成形体１０の露出部１１に蓄光顔料層を設けることにより、滑り止めの効果と共に停電等で照明がなくなったときにも段鼻部が発光して階段をはっきり視認できるので安全に歩行でき、汚損等により見づらくなったときにも容易に交換することができる。
【００２６】
以上、本発明の階段用床材について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができる。
【産業上の利用可能性】
【００２７】
本発明の階段用床材は、滑り止め部材のみを簡単に交換するとともに、脱落することのないように確実に固定し、工事の完了後すぐに階段用床材を使用することができるという特性を有していることから、例えば、駅など歩行量の多い場所に好適に用いることができるほか、工場や業務用厨房などの油がこぼれたりする所の階段用床材として好適に用いることができる。
【図面の簡単な説明】
【００２８】
【図１】本発明の階段用床材の一実施例を示す斜視図である。
【図２】同実施例の階段用床材の要部を示す部分拡大図である。
【図３】同階段用床材を示し、（ａ）はその要部拡大断面図、（ｂ）は滑り止め部材の高さと溝からの突出高さを示す拡大断面図である。
【符号の説明】
【００２９】
１    踏み面被覆部
２    蹴上げ被覆部
３    段鼻
４    長溝
５    滑り止め部材
６    凹凸
７    蓄光顔料テープ
８    細溝
９    硬質材料からなる粒子を含有した樹脂
１０  樹脂成形体
１１  露出部
１２  積層部
【図１】
2006241844.tif 000003
【図２】
2006241844.tif 000004
【図３】
2006241844.tif 000005